(57)【要約】【課題】ＣＣＴＶ装置の情報と画像とがどちらも確認できるＣＣＴＶ装置を提供し、また、複雑な機能についての操作が簡単なＣＣＴＶ装置を提供し、また更に、個々のテレビカメラの状態が把握できるＣＣＴＶ装置を提供する。【解決手段】音声認識手段を設け、音声により画像を確認したいテレビカメラの画像選択、及びプリセット制御によるテレビカメラの方向制御を行う。また、テレビカメラの設置場所の地名及びプリセットポジションの表示を、テレビモニタ画面上への表示ではなく、操作した直後に音声で表現する。また、画像を表示しているテレビモニタ画面上に、他のカメラの状態情報を文字表示させる。【選択図】　図１
2004023676.tif 000002
【特許請求の範囲】
【請求項１】
テレビモニタと複数のテレビカメラと映像切換器とを有し、上記複数のテレビカメラが取得した画像の１つを上記映像切換器が選択して上記テレビモニタに表示するＣＣＴＶ装置において、
音声発生器と、
上記テレビモニタに表示する画像の選択または上記テレビカメラのプリセット制御を指示する操作器と、
上記操作器の指示に応答して上記複数のテレビカメラそれぞれと上記映像切換器と上記音声発生器に制御信号を出力する制御器とを備え、
上記選択されたテレビカメラの取得した画像とともに、ＣＣＴＶ装置の情報、または、選択した画像の情報、または、プリセット方式で設定した被写体の画面の情報の少なくとも１つを音声出力することを特徴とするＣＣＴＶ装置。
【請求項２】
テレビモニタと複数のテレビカメラと映像切換器とを有し、上記複数のテレビカメラが取得した画像の１つを上記映像切換器が選択して上記テレビモニタに表示するＣＣＴＶ装置において、
音声発生器と、
入力された音声から音声情報を認識し、上記テレビモニタに表示する画像の選択または上記テレビカメラのプリセット制御を指示する操作器と、
上記操作器の指示に応答して上記複数のテレビカメラそれぞれと上記映像切換器と上記文字発生器に制御信号を出力する制御器とを備え、
上記選択されたテレビカメラの取得した画像とともに、ＣＣＴＶ装置の情報、または、選択した画像の情報、または、プリセット方式で設定した被写体の画面の情報の少なくとも１つを音声出力することを特徴とするＣＣＴＶ装置。
【請求項３】
テレビモニタと複数のテレビカメラと映像切換器とを有し、上記複数のテレビカメラが取得した画像の１つを上記映像切換器が選択して上記テレビモニタに表示するＣＣＴＶ装置において、
入力された音声から音声情報を認識し、上記テレビモニタに表示する画像の選択または上記テレビカメラのプリセット制御を指示する操作器と、
上記操作器の指示に応答して上記複数のテレビカメラそれぞれと上記映像切換器と上記文字発生器に制御信号を出力する制御器とを備えたことを特徴とするＣＣＴＶ装置。
【請求項４】
テレビモニタと複数のテレビカメラと映像切換器とを有し、上記複数のテレビカメラが取得した画像の１つを上記映像切換器が選択して上記テレビモニタに表示するＣＣＴＶ装置において、
文字発生器と、
入力された音声から音声情報を認識し、上記テレビモニタに表示する画像の選択または上記テレビカメラのプリセット制御を指示する操作器と、
上記操作器の指示に応答して上記複数のテレビカメラそれぞれと上記映像切換器と上記文字発生器に制御信号を出力する制御器とを備え、
上記選択されたテレビカメラの取得した画像とともに、ＣＣＴＶ装置の情報、または、選択した画像の情報、または、プリセット方式で設定した被写体の画面の情報の少なくとも１つを上記テレビモニタに表示することを特徴とするＣＣＴＶ装置。
【請求項５】
請求項３または請求項４のいずれかに記載のＣＣＴＶ装置において、
上記操作器は、あらかじめ決められた語句を登録され、該登録された語句を認識したときに上記制御器に上記テレビモニタに表示する画像の選択または上記テレビカメラのプリセット制御を指示することを特徴とするＣＣＴＶ装置。
【請求項６】
請求項３乃至請求項５のいずれか１つに記載のＣＣＴＶ装置において、
上記選択されたテレビカメラの取得した画像とともに、上記選択されたテレビカメラ以外のテレビカメラの状態の情報を上記テレビモニタに表示することを特徴とするＣＣＴＶ装置。
【請求項７】
請求項１または請求項２のいずれかに記載のＣＣＴＶ装置において、
上記選択されたテレビカメラの取得した画像とともに、上記選択されたテレビカメラ以外のテレビカメラの状態の情報を音声出力することを特徴とするＣＣＴＶ装置。
【請求項８】
テレビモニタと複数のテレビカメラと映像切換器とを有し、上記複数のテレビカメラが取得した画像の１つを上記映像切換器が選択して上記テレビモニタに表示するＣＣＴＶ装置において、
上記複数のテレビカメラの画像のどのテレビカメラの画像を選択するかの画像の選択信号、または、プリセット制御を操作する信号を出力し、
上記信号に応じて、上記複数のテレビカメラの少なくとも１つまたは上記映像切換器または上記音声発生器を制御し、
更に、上記信号に応じて、選択された上記テレビモニタに表示する画像の情報または選択された上記テレビカメラのプリセット制御の指示の情報の少なくとも１つを音声出力することを特徴とするＣＣＴＶ装置の状態出力方法。
【請求項９】
テレビモニタと複数のテレビカメラと映像切換器とを有し、上記複数のテレビカメラが取得した画像の１つを上記映像切換器が選択して上記テレビモニタに表示するＣＣＴＶ装置において、
入力された音声から音声情報を認識し、上記テレビモニタに表示する画像の選択または上記テレビカメラのプリセット制御を指示し、
上記指示に応答して上記複数のテレビカメラそれぞれと上記映像切換器と上記文字発生器に制御信号を出力し、
上記選択されたテレビカメラの取得した画像とともに、ＣＣＴＶ装置の情報、または、選択した画像の情報、または、プリセット方式で設定した被写体の画面の情報の少なくとも１つを音声出力することを特徴とするＣＣＴＶ装置の状態出力方法。
【請求項１０】
テレビモニタと複数のテレビカメラと映像切換器とを有し、上記複数のテレビカメラが取得した画像の１つを上記映像切換器が選択して上記テレビモニタに表示するＣＣＴＶ装置において、
入力された音声から音声情報を認識し、上記テレビモニタに表示する画像の選択または上記テレビカメラのプリセット制御を指示し、
上記指示に応答して上記複数のテレビカメラそれぞれと上記映像切換器と上記文字発生器に制御信号を出力することを特徴とするＣＣＴＶ装置の状態出力方法。
【請求項１１】
請求項１０記載のＣＣＴＶ装置の状態出力方法において、あらかじめ決められた語句を登録し、該登録された語句を認識したときに上記テレビモニタに表示する画像の選択または上記テレビカメラのプリセット制御を指示することを特徴とするＣＣＴＶ装置の状態出力方法。
【請求項１２】
請求項１０または請求項１１のいずれかに記載のＣＣＴＶ装置の状態出力方法において、
上記選択されたテレビカメラの取得した画像とともに、上記選択されたテレビカメラ以外のテレビカメラの状態の情報を上記テレビモニタに表示することを特徴とするＣＣＴＶ装置の状態出力方法。
【請求項１３】
請求項８または請求項９のいずれかに記載のＣＣＴＶ装置の状態出力方法において、
上記選択されたテレビカメラの取得した画像とともに、上記選択されたテレビカメラ以外のテレビカメラの状態の情報を音声出力することを特徴とするＣＣＴＶ装置の状態出力方法。
【発明の詳細な説明】
【０００１】
【発明の属する技術分野】
本発明はＣＣＴＶ装置における操作方法に関するものである。
【０００２】
【従来の技術】
図３は、従来のＣＣＴＶ装置の構成を示すブロック図である。
ＣＣＴＶ装置は、複数のテレビカメラ１で構成される。それぞれのテレビカメラ１は、それぞれの監視視野内の被写体を撮像し、撮像された画像を映像信号に変換して映像切換器２に出力する。映像切換器２は、入力された画像のうちの１つを、制御器５からの制御信号に基いて選択して文字発生器３に出力する。
文字発生器３は、映像切換器２から与えられる選択されたテレビカメラ１の映像信号に、そのテレビカメラ１の設置されている場所の地名、及び、被写体の位置や地名を表示するための文字信号を重畳させて、テレビモニタ４に出力する。テレビモニタ４は、入力された信号の画像を表示する。
操作器６は、複数のテレビカメラ１のうち、どのテレビカメラの画像を選択するかを選択する信号、及び、プリセット制御を操作する信号を制御器５に出力する。制御器５は、各テレビカメラ１、映像切換器２、及び文字発生器３に制御信号を出力し、各テレビカメラ１、映像切換器２、及び文字発生器３を制御する。
【０００３】
ＣＣＴＶ装置の操作において、ＣＣＴＶ装置の状態の情報、例えば、選択されたテレビカメラ１のいずれか１つのテレビカメラの撮像した画像の地名（テレビカメラの設置場所、等）や、カメラ制御におけるプリセットポジションを、映像信号に重畳して、テレビモニタ４の画面上に文字情報として表示している。
図４は、テレビモニタ４の画面に重畳して表示された文字の例を示す図である。図４に示すように、画面上に文字を重畳させる方式では、文字表示された部分の画像が、見えなくなってしまう。
【０００４】
また、図３のＣＣＴＶ装置の操作において、複数のテレビカメラ１のうちからの１台のテレビカメラの選択、及び、カメラ制御におけるプリセットポジションの選択を、専用の操作器６を用いて手動で行っている。
【０００５】
また、図３のＣＣＴＶ装置では、複数のテレビカメラ１からの画像の１つを選択して映像切換器２で切換えた後にテレビモニタ４に表示している。
このため、複数のテレビカメラ１のうち、テレビモニタ４に画像表示していないテレビカメラの状態（電源が入っているか、どちらの方向を向いているか等）はどうなっているのかわからない。
テレビモニタ４に表示していない、他のテレビカメラの状態を知りたい場合には、別に表示パネルまたは専用ディスプレイ等の表示装置を設けて、他のテレビカメラの状態を表示する必要があった。
【０００６】
【発明が解決しようとする課題】
前述の従来技術には、テレビモニタ画面上に文字を表示すると、その文字が重畳されている部分の画像が、文字に隠れて見えない欠点があった。
また、操作器を手動で操作する場合、機能が複雑になってくると操作手順が煩雑になり習熟さが必要となる欠点があった。
また更に、画像が表示されているテレビカメラ以外のテレビカメラの状態が分からない。個々のテレビカメラの状態を把握するためには、該当するテレビカメラを一旦選択し、そのテレビカメラが取得した画像をテレビモニタに表示することで、そのテレビカメラの状態を把握しなくてはならない。したがって、緊急時に必要なテレビカメラが故障していて、必要な画像が表示できず、緊急時の確認ができない場合がある欠点があった。
本発明の目的は、上記のような欠点を除去し、ＣＣＴＶ装置の情報と画像とがどちらも確認できるＣＣＴＶ装置を提供し、また、複雑な機能についての操作が簡単なＣＣＴＶ装置を提供し、また更に、個々のテレビカメラの状態が把握できるＣＣＴＶ装置を提供することにある。
【０００７】
【課題を解決するための手段】
上記の目的を達成するために、本発明のＣＣＴＶ装置は、音声認識手段を設け、音声により画像を確認したいテレビカメラの画像選択、及びプリセット制御によるテレビカメラの方向制御を可能にすることで、重畳させた文字情報によってその下の画像が見えなくならないようにしたものである。
また、本発明のＣＣＴＶ装置は、テレビカメラの設置場所の地名及びプリセットポジションの表示を、テレビモニタ画面上への表示ではなく、操作した直後に音声で表現するようにしたものである。
また、本発明のＣＣＴＶ装置は、画像を表示しているテレビモニタ画面上に、他のカメラの状態情報を文字表示させることでカメラの状態が把握できるようにしたものである。このとき、テレビモニタ画面上に表示する文字が多くて本来の画像が見難い場合は、文字表示（例えば、「切」）の操作により簡単に文字を消すことができる。
【０００８】
即ち、本発明のＣＣＴＶ装置は、テレビモニタと複数のテレビカメラと映像切換器とを有し、上記複数のテレビカメラが取得した画像の１つを上記映像切換器が選択して上記テレビモニタに表示するＣＣＴＶ装置において、音声発生器と、上記テレビモニタに表示する画像の選択または上記テレビカメラのプリセット制御を指示する操作器と、上記操作器の指示に応答して上記複数のテレビカメラそれぞれと上記映像切換器と上記音声発生器に制御信号を出力する制御器とを備え、上記選択されたテレビカメラの取得した画像とともに、ＣＣＴＶ装置の情報、または、選択した画像の情報、または、プリセット方式で設定した被写体の画面の情報の少なくとも１つを音声出力するものである。
【０００９】
また、本発明のＣＣＴＶ装置は、テレビモニタと複数のテレビカメラと映像切換器とを有し、上記複数のテレビカメラが取得した画像の１つを上記映像切換器が選択して上記テレビモニタに表示するＣＣＴＶ装置において、音声発生器と、入力された音声から音声情報を認識し、上記テレビモニタに表示する画像の選択または上記テレビカメラのプリセット制御を指示する操作器と、上記操作器の指示に応答して上記複数のテレビカメラそれぞれと上記映像切換器と上記文字発生器に制御信号を出力する制御器とを備え、上記選択されたテレビカメラの取得した画像とともに、ＣＣＴＶ装置の情報、または、選択した画像の情報、または、プリセット方式で設定した被写体の画面の情報の少なくとも１つを音声出力するものである。
【００１０】
また、本発明のＣＣＴＶ装置は、テレビモニタと複数のテレビカメラと映像切換器とを有し、上記複数のテレビカメラが取得した画像の１つを上記映像切換器が選択して上記テレビモニタに表示するＣＣＴＶ装置において、入力された音声から音声情報を認識し、上記テレビモニタに表示する画像の選択または上記テレビカメラのプリセット制御を指示する操作器と、上記操作器の指示に応答して上記複数のテレビカメラそれぞれと上記映像切換器と上記文字発生器に制御信号を出力する制御器とを備えたものである。
【００１１】
また、本発明のＣＣＴＶ装置は、テレビモニタと複数のテレビカメラと映像切換器とを有し、上記複数のテレビカメラが取得した画像の１つを上記映像切換器が選択して上記テレビモニタに表示するＣＣＴＶ装置において、文字発生器と、入力された音声から音声情報を認識し、上記テレビモニタに表示する画像の選択または上記テレビカメラのプリセット制御を指示する操作器と、上記操作器の指示に応答して上記複数のテレビカメラそれぞれと上記映像切換器と上記文字発生器に制御信号を出力する制御器とを備え、上記選択されたテレビカメラの取得した画像とともに、ＣＣＴＶ装置の情報、または、選択した画像の情報、または、プリセット方式で設定した被写体の画面の情報の少なくとも１つを上記テレビモニタに表示することものである。
【００１２】
また、本発明のＣＣＴＶ装置の上記操作器は、あらかじめ決められた語句を登録され、該登録された語句を認識したときに上記制御器に上記テレビモニタに表示する画像の選択または上記テレビカメラのプリセット制御を指示するものである。
また、本発明のＣＣＴＶ装置は、上記選択されたテレビカメラの取得した画像とともに、上記選択されたテレビカメラ以外のテレビカメラの状態の情報を上記テレビモニタに表示するものである。
また、本発明のＣＣＴＶ装置は、上記選択されたテレビカメラの取得した画像とともに、上記選択されたテレビカメラ以外のテレビカメラの状態の情報を音声出力するものである。
【００１３】
また更に、本発明のＣＣＴＶ装置の状態出力方法は、テレビモニタと複数のテレビカメラと映像切換器とを有し、上記複数のテレビカメラが取得した画像の１つを上記映像切換器が選択して上記テレビモニタに表示するＣＣＴＶ装置において、上記複数のテレビカメラの画像のどのテレビカメラの画像を選択するかの画像の選択信号、または、プリセット制御を操作する信号を出力し、上記信号に応じて、上記複数のテレビカメラの少なくとも１つまたは上記映像切換器または上記音声発生器を制御し、更に、上記信号に応じて、選択された上記テレビモニタに表示する画像の情報または選択された上記テレビカメラのプリセット制御の指示の情報の少なくとも１つを音声出力するものである。
また更に、本発明のＣＣＴＶ装置の状態出力方法は、テレビモニタと複数のテレビカメラと映像切換器とを有し、上記複数のテレビカメラが取得した画像の１つを上記映像切換器が選択して上記テレビモニタに表示するＣＣＴＶ装置において、入力された音声から音声情報を認識し、上記テレビモニタに表示する画像の選択または上記テレビカメラのプリセット制御を指示し、上記指示に応答して上記複数のテレビカメラそれぞれと上記映像切換器と上記文字発生器に制御信号を出力し、上記選択されたテレビカメラの取得した画像とともに、ＣＣＴＶ装置の情報、または、選択した画像の情報、または、プリセット方式で設定した被写体の画面の情報の少なくとも１つを音声出力するものである。
【００１４】
また更に、本発明のＣＣＴＶ装置の状態出力方法は、テレビモニタと複数のテレビカメラと映像切換器とを有し、上記複数のテレビカメラが取得した画像の１つを上記映像切換器が選択して上記テレビモニタに表示するＣＣＴＶ装置において、入力された音声から音声情報を認識し、上記テレビモニタに表示する画像の選択または上記テレビカメラのプリセット制御を指示し、上記指示に応答して上記複数のテレビカメラそれぞれと上記映像切換器と上記文字発生器に制御信号を出力するものである。
【００１５】
また更に、本発明のＣＣＴＶ装置の状態出力方法は、あらかじめ決められた語句を登録し、該登録された語句を認識したときに上記テレビモニタに表示する画像の選択または上記テレビカメラのプリセット制御を指示するものである。
また更に、本発明のＣＣＴＶ装置の状態出力方法は、上記選択されたテレビカメラの取得した画像とともに、上記選択されたテレビカメラ以外のテレビカメラの状態の情報を上記テレビモニタに表示するものである。
また更に、本発明のＣＣＴＶ装置の状態出力方法は、上記選択されたテレビカメラの取得した画像とともに、上記選択されたテレビカメラ以外のテレビカメラの状態の情報を音声出力するものである。
【００１６】
【発明の実施の形態】
図５によって本発明の一実施例を説明する。図５は本発明のＣＣＴＶ装置の一実施例の構成を示すブロック図である。
図５において、ＣＣＴＶ装置は複数のテレビカメラ１を備える。複数のテレビカメラ１は、それぞれの監視視野内の被写体を撮像し、映像信号として、撮像された画像を映像切換器２に出力する。映像切換器２は、入力された画像のうちの１つを、制御器５′からの制御信号により選択してテレビモニタ４に出力する。テレビモニタ４は、入力された信号の画像を表示する。
【００１７】
操作器６′は、複数のテレビカメラ１のうち、どのテレビカメラの画像を選択するかの画像の選択信号、及び、プリセット制御を操作する信号を制御器５′に出力する。制御器５′は、各テレビカメラ１、映像切換器２、及び音声発生器７に制御データを出力し、各テレビカメラ１、映像切換器２、及び音声発生器７を制御する。
音声発生器７は、それぞれのテレビカメラ１の設置されている地名及び、あらかじめ設定された各プリセットポジションの情報を音声で記憶させておき、選択されたテレビカメラへの画像出力切換情報及びプリセット制御情報により、音声でテレビカメラ画像の切換情報とプリセット方式で設定した画面の情報を操作器６′で操作した直後に出力する。
図５の実施例では、テレビカメラ１からの画像は映像切換器２により、文字発生器３を介さず、直接テレビモニタに映像信号を出力している。しかし、文字発生器３を除去せず、操作器６からの操作により、少なくとも文字の重畳と音声出力とのいずれか１つを出力できるようにしても良い。
【００１８】
図６は本発明のＣＣＴＶ装置の他の実施例の構成を示すブロック図である。ＣＣＴＶ装置は複数のテレビカメラ１で構成される。テレビカメラ１は、それぞれの監視視野内の被写体を撮像し、映像信号として、撮像された画像を映像切換器２に出力する。映像切換器２は、入力された画像のうちの１つを、制御器５′からの制御信号により選択してテレビモニタ４に出力する。テレビモニタ４は、入力された信号の画像を表示する。
テレビカメラの画像選択及びプリセット制御の命令は、音声により操作器６′に与えられる。操作器６′は音声認識機能を備え、あらかじめ決められた語句が登録され、その登録された語句を認識したときに、制御器５′にカメラ制御データを出力する。
【００１９】
操作器６′に登録される語句とは、例えば、各テレビカメラ１の設置場所及び各テレビカメラ１に設定されたプリセットポジションの名称である。
制御器５′は、各テレビカメラ１に制御データを出力してテレビカメラのプリセット駆動を行うと同時に映像切換器２にも信号を出力し、映像信号の切換えを行う。
また、制御器５′は、音声発生器７にも制御データを出力する。音声発生器７は与えられた制御データに基いて、動作が完了した時点で音声発生器７から音声でテレビモニタ４に表示された画像を取得したテレビカメラの設置場所及びプリセットポジションを音声にて出力させる。
例えば、操作員が「カメラ１番、玄関」と操作器６′に向かって話すと、１番のテレビカメラ１が玄関の方向を向いてテレビモニタ４に表示されることになる。
【００２０】
図１によって、本発明の他の実施例を説明する。図１は、本発明のＣＣＴＶ装置の一実施例の構成を示すブロック図である。
図１において、ＣＣＴＶ装置は複数のテレビカメラ１を備える。複数のテレビカメラ１からの画像は映像切換器２により切換えられ、この画像をテレビモニタ４で表示する。
一方、テレビカメラ１の設置された地名、及び、被写体の位置や地名を表示するため、文字発生器３を映像切換器２の出力に接続し、文字情報信号を重畳させる。この文字情報信号にすべてのテレビカメラの状態表示を乗せることで、テレビカメラの状態表示を行う。
【００２１】
複数のテレビカメラ１から、１台のテレビカメラの画像選択及びプリセット制御は、操作器６″で操作する信号を制御器５″により、各テレビカメラ１に出力すると同時に映像切換器２、文字発生器３に出力する。
図２は、テレビモニタ４に表示した文字の一例を示す。画像表示部８の全体に選択されたテレビカメラからの画像が表示され、その画像に重畳されて文字が同時に表示される。
【００２２】
この文字表示は、表示が不要な場合には、例えば、操作器６″を操作することによって、文字だけ消すことができるし、文字だけ表示することもできる。
例えば、テレビモニタ画面上に表示する文字が多くて本来の画像が見難い場合は、テレビモニタ４の文字表示（例えば、「切」）の操作をすることにより簡単に文字を消すことができる。
また、図１と図２の実施例では、複数のテレビカメラ１のうち、画像選択されていない他のテレビカメラの状態を文字情報でテレビモニタ４の画面上に重畳させて表示しているが、本発明の別の実施例にあるように、音声によってそれらの情報の少なくとも１部を出力することもできる。また、音声、文字の少なくともどちらか１つを選択操作するようにしても良い。また更に、上記操作器からの指示も、本発明の他の実施例で述べたように、音声によって指示しても良いし、どちらでも良い。
【００２３】
図７は、本実施例の他の実施例の構成を示すブロック図で、操作器１０６は、従来からの通常の操作と音声認識機能とを有し、制御器１０５は操作器１０６からの制御命令を受けテレビカメラ１、映像切換器２、文字発生器３、及び音声発生器１０７を制御する。
図７の実施例は、また更に、操作器１０６からの操作に応じて、テレビカメラ画像の切換情報とプリセット方式で設定した画面の情報や選択されていない他のテレビカメラの情報を、テレビモニタ４に文字情報で、または音声発生器１０７から音声で出力する。
【００２４】
【発明の効果】
以上のように本発明によれば、テレビカメラの選択情報及びプリセット制御情報を音声表示に切換え可能とすることで、画面上での情報表示の煩雑さを解消させることになる。
また、本発明によれば、ＣＣＴＶ装置の操作が煩雑であっても、音声の発生によって操作の内容が判断でき、操作性に大きな向上が得られる。
また更に、本発明によれば、画像の監視だけでなく、ＣＣＴＶ装置全体のテレビカメラの状態表示も同一のテレビモニタで可能となり、運用上多大な効果が得られる。
【図面の簡単な説明】
【図１】本発明の一実施例のＣＣＴＶ装置の構成を示すブロック図。
【図２】本発明の一実施例のＣＣＴＶ装置の画面表示例を示す図。
【図３】従来のＣＣＴＶ装置の構成を示すブロック図。
【図４】従来のテレビモニタに表示した文字の例を示す図。
【図５】本発明のＣＣＴＶ装置の一実施例の構成を示すブロック図。
【図６】本発明のＣＣＴＶ装置の一実施例の構成を示すブロック図。
【図７】本発明のＣＣＴＶ装置の一実施例の構成を示すブロック図。
【符号の説明】
１：テレビカメラ、　２：映像切換器、　３：文字発生器、　４：テレビモニタ、　５，５′，５″，１０５：制御器、　６，６′，６″，１０６：操作器、
７，１０７：音声発生器、　８：画像表示部。
【図１】
2004023676.tif 000003
【図２】
2004023676.tif 000004
【図３】
2004023676.tif 000005
【図４】
2004023676.tif 000006
【図５】
2004023676.tif 000007
【図６】
2004023676.tif 000008
【図７】
2004023676.tif 000009